(57)【要約】【課題】  ＳＰＣ（特別目的会社）など複数の投資対象に投資するファンドのキャッシュフローを管理するキャッシュフロー管理装置を提供する。【解決手段】  ＳＰＣ等の複数の投資対象を介して企業の株式や債券、不動産等に投資するファンドのスキームを前提にして、ＳＰＣ等の投資対象の決算時のキャッシュフローの計算において、資金回収が発生しない期間には、例えばＳＰＣにリザーブが必要な金額をセルに入力可能な最大値をデフォルト値に設定しておくなどの方法によって、ファンドの回収額がゼロとなるように投資対象にリザーブする資金の額を設定する。これによって、ファンドの決算期に該当しないＳＰＣ等の投資対象の決算期には、ファンドによる資金回収を発生させないようにキャッシュフローを調整することを可能にしている。【選択図】        図７
2017091238.tif 000002
【特許請求の範囲】
【請求項１】
複数の投資対象に投資するファンドのキャッシュフローを管理する装置であって、
ファンドの各々の投資対象について、投資対象におけるキャッシュフローを集計する基準となる第１の期間毎に、ファンドによる資金回収の回収額が反映された投資対象のキャッシュフローを計算する第１の計算手段と、
ファンドの全ての投資対象について、前記第１の計算手段によって計算された回収額を集計して、ファンド全体のキャッシュフローを集計する基準となる第２の期間毎のキャッシュフローを計算する第２の計算手段と、
前記第１の計算手段又は前記第２の計算手段の少なくともいずれかによって計算されたキャッシュフローを所定の形式で出力する出力手段と、を備えていて、
前記第１の計算手段は、前記第１の期間毎に計算するキャッシュフローにおいて、ファンドによる資金回収が発生しない期間については、ファンドの回収額がゼロとなるように投資対象にリザーブする資金の額を設定すること
を特徴とするキャッシュフロー管理装置。
【請求項２】
前記第１の計算手段は、前記第１の期間毎の資金収支により発生するキャッシュフローから、投資対象にリザーブすることが必要な必要リザーブ額を減ずることによって、ファンドによる資金回収の回収額を計算し、前記必要リザーブ額には前記資金収支から発生するキャッシュフロー以上の金額がデフォルト値に設定されていること
を特徴とする請求項１記載のキャッシュフロー管理装置。
【請求項３】
前記第１の計算手段は、操作者の操作画面に表示される前記第１の期間毎に設けられる所定の入力セルに投資対象にリザーブすることが必要な金額が入力されたことを検出すると、前記必要リザーブ額のデフォルト値に設定された金額を入力された金額に更新し、前記必要リザーブ額のデフォルト値には前記入力セルに入力が可能な最大値が設定されていること
を特徴とする請求項２記載のキャッシュフロー管理装置。
【請求項４】
前記第２の計算手段は、前記第２の期間毎に計算するキャッシュフローにおいて、ファンドから投資家に分配する分配金が発生しない期間については、投資家への分配金がゼロとなるようにファンドにリザーブする資金の額を設定すること
を特徴とする請求項１乃至３いずれかに記載のキャッシュフロー管理装置。
【請求項５】
前記第２の計算手段は、前記第２の期間毎の資金収支から発生するキャッシュフローから、ファンドにリザーブすることが必要な必要リザーブ額を減ずることによって投資家に分配する分配金の金額を計算し、前記必要リザーブ額には前記資金収支から発生するキャッシュフロー以上の金額がデフォルト値に設定されていること
を特徴とする請求項４記載のキャッシュフロー管理装置。
【請求項６】
前記第２の計算手段は、操作者の操作画面に表示される前記第２の期間毎に設けられる所定の入力セルに投資対象にリザーブすることが必要な金額が入力されたことを検出すると、前記必要リザーブ額のデフォルト値に設定された金額を入力された金額に更新し、前記必要リザーブ額のデフォルト値には前記入力セルに入力が可能な最大値が設定されていること
を特徴とする請求項５記載のキャッシュフロー管理装置。
【請求項７】
複数の投資対象に投資するファンドのキャッシュフローを管理するプログラムであって、ファンドのキャッシュフローを管理するコンピュータに、
ファンドの各々の投資対象について、投資対象におけるキャッシュフローを集計する基準となる第１の期間毎に、ファンドによる資金回収の回収額が反映された投資対象のキャッシュフローを計算する第１の計算ステップと、
ファンドの全ての投資対象について、前記第１の計算手段によって計算された回収額を集計して、ファンド全体のキャッシュフローを集計する基準となる第２の期間毎のキャッシュフローを計算する第２の計算ステップと、
前記第１の計算ステップ又は前記第２の計算ステップの少なくともいずれかにおいて計算されたキャッシュフローを所定の形式で出力する出力ステップと、を実行させ、
前記第１の計算ステップでは、前記第１の期間毎に計算するキャッシュフローにおいて、ファンドによる資金回収が発生しない期間については、ファンドの回収額がゼロとなるように投資対象にリザーブする資金の額が設定されていること
を特徴とするキャッシュフロー管理プログラム。
【請求項８】
複数の投資対象に投資するファンドのキャッシュフローの管理方法であって、
ファンドのキャッシュフローを管理するコンピュータが、ファンドの各々の投資対象について、投資対象におけるキャッシュフローを集計する基準となる第１の期間毎に、ファンドによる資金回収の回収額が反映された投資対象のキャッシュフローを計算する第１の計算ステップと、
前記コンピュータが、ファンドの全ての投資対象について、前記第１の計算手段によって計算された回収額を集計して、ファンド全体のキャッシュフローを集計する基準となる第２の期間毎のキャッシュフローを計算する第２の計算ステップと、
前記コンピュータが、前記第１の計算ステップ又は前記第２の計算ステップの少なくともいずれかにおいて計算されたキャッシュフローを所定の形式で出力する出力ステップと、を有していて、
前記第１の計算ステップでは、前記第１の期間毎に計算するキャッシュフローにおいて、ファンドによる資金回収が発生しない期間については、ファンドの回収額がゼロとなるように投資対象にリザーブする資金の額が設定されていること
を特徴とするキャッシュフローの管理方法。
【発明の詳細な説明】
【技術分野】
【０００１】
本発明は、ＳＰＣ（特別目的会社）等の複数の投資対象に投資するファンドのキャッシュフローを管理する、キャッシュフロー管理装置、キャッシュフロー管理プログラム及びキャッシュフローの管理方法に関するものである。
【背景技術】
【０００２】
投資家から集めた資金を企業が発行する株式や債券、不動産等の投資先に投資して、そのリターンを投資家に分配するファンド（投資ファンド）の運営では、１ヶ月毎、四半期毎、１年毎のように所定のタイミングで決算を行って、投資家に分配する分配金を算出することが必要になる。一般にこうしたファンドの分配金は、決算期毎に、投資先からの配当金や賃料などの収入から運営経費などの支出を差し引くことによって算出される（例えば、特許文献１の段落００２８等）。
【先行技術文献】
【特許文献】
【０００３】
【特許文献１】特開２００３−３４５９７９号公報
【発明の概要】
【発明が解決しようとする課題】
【０００４】
ところで、１ヶ月毎や四半期毎に到来するファンドの収入と支出を集計する決算のタイミングと投資家への分配のタイミングが、特許文献１の例のように一致していれば特に問題は生じないが、キャッシュフロー管理上必要になる決算のタイミングと、投資家との取り決めによって決定される分配金のタイミングが、必ずしも一致することになるとは限らない。そのため、ファンドの管理者には、こうしたタイミングのずれを考慮して、適切なキャッシュフロー管理をどのように行うかが課題となる。
【０００５】
特に、ファンドからの投資先の数や種類が多くなるようなケースでは、各々の投資先の損益状況の把握やキャッシュフロー管理が煩雑になりやすいため、管理の効率化等の目的で、ファンドから企業の株式や不動産等の各々の投資先に直接投資するのではなく、複数のＳＰＣを設立し、ＳＰＣを介して各々の投資先に投資するスキームが採用されることがある。図１は、こうした複数のＳＰＣを介して投資先に投資するファンドのスキームを例示したものである。
【０００６】
この例では、実質的な投資対象である投資先１１−１３、投資先２１−２３、投資先３１−３３をグループ化して、それぞれのグループにおける投資先から配当等を受け取って、損益やキャッシュフローを管理するＳＰＣ１−３を設立している。ファンドはＳＰＣ１−３から回収した資金から投資家への分配を行うことになるが、こうしたスキームでは、ＳＰＣ、ファンドそれぞれにおける効率的な資金運用を考慮して、ファンドがＳＰＣから資金を回収するタイミングが設定される。
【０００７】
ここで、投資先からＳＰＣへの配当等を集計するタイミングとファンドがＳＰＣから資金を回収するタイミング、あるいは、ファンドがＳＰＣから資金を回収するタイミングとファンドから投資家への分配のタイミングにずれが生じると、決算のタイミングで生じた余裕資金の回収やリザーブが適切に行われるように、ＳＰＣやファンドのキャッシュフローを調整することが必要になる（図１の「ＣＦ調整（１）」と「ＣＦ調整（２）」）。これらのずれは、例えば、投資先からＳＰＣへの配当を月次で集計し、ファンドによるＳＰＣからの資金回収は四半期毎に実施、さらにファンドから投資家への分配は半期毎に実施するといったように、二段階で生じることもあるため、適切かつ効率的なキャッシュフロー調整が求められることになる。
【０００８】
本発明は、このような課題に対応するためになされたものであり、ＳＰＣ等の複数の投資対象に投資するファンドのキャッシュフローを管理する、キャッシュフロー管理装置、キャッシュフロー管理プログラム及びキャッシュフローの管理方法を提供することを目的とするものである。
【課題を解決するための手段】
【０００９】
このような課題を解決する本発明は、複数の投資対象に投資するファンドのキャッシュフローを管理する装置であって、ファンドの各々の投資対象について、投資対象におけるキャッシュフローを集計する基準となる第１の期間毎に、ファンドによる資金回収の回収額が反映された投資対象のキャッシュフローを計算する第１の計算手段と、ファンドの全ての投資対象について、前記第１の計算手段によって計算された回収額を集計して、ファンド全体のキャッシュフローを集計する基準となる第２の期間毎のキャッシュフローを計算する第２の計算手段と、前記第１の計算手段又は前記第２の計算手段の少なくともいずれかによって計算されたキャッシュフローを所定の形式で出力する出力手段と、を備えていて、前記第１の計算手段は、前記第１の期間毎に計算するキャッシュフローにおいて、ファンドによる資金回収が発生しない期間については、ファンドの回収額がゼロとなるように投資対象にリザーブする資金の額を設定することを特徴とするキャッシュフロー管理装置である。
【００１０】
本発明では、ＳＰＣ等の複数の投資対象を介して企業の株式や債券、不動産等に投資するファンドのスキームを前提にして、ＳＰＣ等の投資対象の決算とファンドの決算を行う期間のずれに対応するためのキャッシュフローの調整、具体的には、ＳＰＣ等の投資対象の決算時のキャッシュフローの計算において、ファンドによる資金回収が発生しない期間には、ファンドの回収額がゼロとなるように投資対象にリザーブする資金の額を設定することによって、ファンドの決算期に該当しないＳＰＣ等の投資対象の決算期には、ファンドによる資金回収を発生させないようにキャッシュフローを調整することを可能にしている。
【００１１】
また、本発明は、前記第１の計算手段は、前記第１の期間毎の資金収支により発生するキャッシュフローから、投資対象にリザーブすることが必要な必要リザーブ額を減ずることによって、ファンドによる資金回収の回収額を計算し、前記必要リザーブ額には前記資金収支から発生するキャッシュフロー以上の金額がデフォルト値に設定されていることを特徴とすることもできる。
【００１２】
さらに、前記第１の計算手段は、操作者の操作画面に表示される前記第１の期間毎に設けられる所定の入力セルに投資対象にリザーブすることが必要な金額が入力されたことを検出すると、前記必要リザーブ額のデフォルト値に設定された金額を入力された金額に更新し、前記必要リザーブ額のデフォルト値には前記入力セルに入力が可能な最大値が設定されていることを特徴としてもよい。
【００１３】
ＳＰＣ等の投資対象にリザーブする必要リザーブ額が、期間中の資金収支から発生するキャッシュフロー以上の金額となっていれば、その期間にはファンドによる資金回収を発生させないようにＳＰＣ等の投資対象のキャッシュフローが調整されるが、そうした値を必要リザーブ額のデフォルト値に設定しておくことによって、ファンドやＳＰＣ等の投資対象の管理者等は、ファンドによる資金回収が発生するＳＰＣ等の投資対象の決算期についてのみ、実際にリザーブが必要な金額を必要リザーブ額として入力することによって、適切にキャッシュフローを調整することが可能となる。必要リザーブ額にこのようなデフォルト値を設定するためには、例えば、必要リザーブ額の入力セルに入力可能な最大値を、デフォルト値に設定しておくこととすればよい。
【００１４】
また、本発明は、前記第２の計算手段は、前記第２の期間毎に計算するキャッシュフローにおいて、ファンドから投資家に分配する分配金が発生しない期間については、投資家への分配金がゼロとなるようにファンドにリザーブする資金の額を設定することを特徴とすることもできる。
【００１５】
さらに、前記第２の計算手段は、前記第２の期間毎の資金収支から発生するキャッシュフローから、ファンドにリザーブすることが必要な必要リザーブ額を減ずることによって投資家に分配する分配金の金額を計算し、前記必要リザーブ額には前記資金収支から発生するキャッシュフロー以上の金額がデフォルト値に設定されていることを特徴とすることもできる。
【００１６】
さらに、前記第２の計算手段は、操作者の操作画面に表示される前記第２の期間毎に設けられる所定の入力セルに投資対象にリザーブすることが必要な金額が入力されたことを検出すると、前記必要リザーブ額のデフォルト値に設定された金額を入力された金額に更新し、前記必要リザーブ額のデフォルト値には前記入力セルに入力が可能な最大値が設定されていることを特徴としてもよい。
【００１７】
このように、本発明のキャッシュフローを調整する仕組みは、ＳＰＣ等の投資対象の決算とファンドの決算を行う期間のずれに対応するためのキャッシュフローの調整のみでなく、ファンドの決算と投資家への分配の期間のずれに対応するためのキャッシュフローの調整にも適用することが可能である。必要リザーブ額のデフォルト値の設定についても、ＳＰＣ等の投資対象の場合と同様の仕組みを適用することができる。
【００１８】
また、本発明は、本発明に係るキャッシュフロー管理装置において動作するキャッシュフロー管理プログラムとして特定することもできる。
【００１９】
本発明に係るキャッシュフロー管理プログラムは、複数の投資対象に投資するファンドのキャッシュフローを管理するプログラムであって、ファンドのキャッシュフローを管理するコンピュータに、ファンドの各々の投資対象について、投資対象におけるキャッシュフローを集計する基準となる第１の期間毎に、ファンドによる資金回収の回収額が反映された投資対象のキャッシュフローを計算する第１の計算ステップと、ファンドの全ての投資対象について、前記第１の計算手段によって計算された回収額を集計して、ファンド全体のキャッシュフローを集計する基準となる第２の期間毎のキャッシュフローを計算する第２の計算ステップと、前記第１の計算ステップ又は前記第２の計算ステップの少なくともいずれかにおいて計算されたキャッシュフローを所定の形式で出力する出力ステップと、を実行させ、前記第１の計算ステップでは、前記第１の期間毎に計算するキャッシュフローにおいて、ファンドによる資金回収が発生しない期間については、ファンドの回収額がゼロとなるように投資対象にリザーブする資金の額が設定されていることを特徴とするキャッシュフロー管理プログラムである。
【００２０】
さらに、本発明に係るキャッシュフロー管理プログラムは、先に説明した本発明に係るキャッシュフロー管理装置の各々の構成に対応するキャッシュフロー管理プログラムとして特定することもできる。
【００２１】
また、本発明は、本発明に係るキャッシュフロー管理装置によって実行されるキャッシュフローの管理方法として特定することもできる。
【００２２】
本発明に係るキャッシュフローの管理方法は、複数の投資対象に投資するファンドのキャッシュフローの管理方法であって、ファンドのキャッシュフローを管理するコンピュータが、ファンドの各々の投資対象について、投資対象におけるキャッシュフローを集計する基準となる第１の期間毎に、ファンドによる資金回収の回収額が反映された投資対象のキャッシュフローを計算する第１の計算ステップと、前記コンピュータが、ファンドの全ての投資対象について、前記第１の計算手段によって計算された回収額を集計して、ファンド全体のキャッシュフローを集計する基準となる第２の期間毎のキャッシュフローを計算する第２の計算ステップと、前記コンピュータが、前記第１の計算ステップ又は前記第２の計算ステップの少なくともいずれかにおいて計算されたキャッシュフローを所定の形式で出力する出力ステップと、を有していて、前記第１の計算ステップでは、前記第１の期間毎に計算するキャッシュフローにおいて、ファンドによる資金回収が発生しない期間については、ファンドの回収額がゼロとなるように投資対象にリザーブする資金の額が設定されていることを特徴とするキャッシュフローの管理方法である。
【００２３】
さらに、本発明に係るキャッシュフローの管理方法は、先に説明した本発明に係るキャッシュフロー管理装置の各々の構成に対応するキャッシュフローの管理方法として特定することもできる。
【発明の効果】
【００２４】
本発明によると、ＳＰＣ等の複数の投資対象に投資するファンドのキャッシュフローを効率的に管理することができるので、ファンドの運営で発生する余裕資金の効率的な運用や、ファンドの管理業務における負担軽減に資することが期待できる。ＳＰＣ等を介して多くの企業の株式等に投資するほど、本発明による効果が大きくなるので、様々な地域の企業や不動産に投資する地域再生ファンド等の運営に、特に好適となる。
【図面の簡単な説明】
【００２５】
【図１】本発明の実施に好適なファンドのスキームの例を示す図である。
【図２】本発明に係るファンドのキャッシュフロー管理装置の実施形態の概要を示す図である。
【図３】本発明に係るファンドのキャッシュフロー管理装置の構成の一例を示すブロック図である。
【図４】ファンドの投資対象となるＳＰＣにおけるキャッシュフローの計算例を示す第１の図である。
【図５】ファンドの投資対象となるＳＰＣにおけるキャッシュフローの計算例を示す第２の図である。
【図６】ファンドの投資対象となるＳＰＣにおけるキャッシュフローの計算例を示す第３の図である。
【図７】ファンドの投資対象となるＳＰＣにおけるキャッシュフローの計算例を示す第４の図である。
【図８】ＳＰＣから資金を回収するファンドにおけるキャッシュフローの計算例を示す第１の図である。
【図９】ＳＰＣから資金を回収するファンドにおけるキャッシュフローの計算例を示す第２の図である。
【図１０】本発明に係るファンドのキャッシュフロー管理装置の操作画面の例を示す第１の図である。
【図１１】本発明に係るファンドのキャッシュフロー管理装置の操作画面の例を示す第２の図である。
【図１２】本発明に係るファンドのキャッシュフロー管理装置によるキャッシュフロー計算の処理フローを示すフローチャートである。
【発明を実施するための形態】
【００２６】
本発明を実施するための形態について、図面を用いて以下に詳細に説明する。尚、以下の説明では、企業の株式や不動産に投資して配当等を受け取る複数のＳＰＣにファンドが投資するスキームに本発明を適用する例について説明するが、このスキームへの適用は本発明によるファンドのキャッシュフロー管理の一例を示したものであって、本発明は以下に説明する実施形態に限定されるものではない。
【００２７】
図１は、以下の説明の前提となる、本発明の実施に好適なファンドのスキームの例を示したものである。先に発明が解決しようとする課題においても説明したとおり、ここに例示したのは、ファンドから企業の株式や不動産等の各々の投資先に直接投資するのではなく、複数のＳＰＣを設立して、ＳＰＣを介して各々の投資先に投資するファンドのスキームである。
【００２８】
このスキームでは、各々のＳＰＣが投資先からの配当等を受け取り、ファンドはＳＰＣから資金を回収して、投資家への分配を行うことになるが、投資先からＳＰＣへの配当等を集計するタイミング、ファンドがＳＰＣから資金を回収するタイミング、ファンドから投資家への分配のタイミングにずれが生じることがある。そのため、ＳＰＣ及びファンドに発生する将来のキャッシュフローを予測するためには、ＳＰＣでは配当等と回収、ファンドでは回収と分配のキャッシュフローをそれぞれ調整することが必要になる（図１の「ＣＦ調整（１）」と「ＣＦ調整（２）」）。後に示す具体例では、投資先からＳＰＣへの配当等は月次で集計し、ファンドによるＳＰＣからの資金回収は四半期毎、ファンドから投資家への分配は半期毎に実施することとして説明する。
【００２９】
図２は、本発明に係るファンドのキャッシュフロー管理装置の実施形態の概要を示したものである。本発明に係るファンドのキャッシュフロー管理装置には、複数のＳＰＣを介して企業の株式や不動産等の投資先に投資するファンドにおける、ファンドとそれぞれのＳＰＣの損益及びキャッシュフローを管理する機能を備えたコンピュータが用いられる。また、損益やキャッシュフローの計算に必要なデータや計算結果を格納するデータベースの機能を備えたものであることが好ましい。
【００３０】
本発明に係るファンドのキャッシュフロー管理装置は、データの入出力機能を備えた単独のコンピュータによって構成されてもよいが、図２に示したように、データの入出力を行うためにファンドの管理者が操作するＰＣ（パーソナルコンピュータ）等の端末と社内ＬＡＮ等で接続されたコンピュータによって構成されるものであってもよい。また、例えば、ＳＰＣが遠隔地に設立されて各々の管理者が異なる場所にいる場合には、データの入出力を行うためにＳＰＣの管理者が操作するネットワーク端末とインターネットを介して接続されたコンピュータによって構成されるものであってもよい。
【００３１】
図３は、本発明に係るファンドのキャッシュフロー管理装置の構成の一例を示している。図３において、キャッシュフロー管理装置１０が本発明に係るファンドのキャッシュフロー管理装置に該当する。前述のとおり、キャッシュフロー管理装置１０には、スタンドアローンで利用されるコンピュータ、ネットワークに接続して利用されるコンピュータのいずれを用いることもできるが、ＣＰＵ、メインメモリ、ＨＤＤ等の補助記憶装置が備えられ、補助記憶装置に格納されたプログラムがメインメモリに読み出されて、ＣＰＵで演算処理を実行することによって、所定の機能が実現される。
【００３２】
ＳＰＣ情報管理部１１とそれに含まれるＰＬ計算部１１１とＣＦ計算部１１２、ファンド情報管理部１２とそれに含まれるＰＬ計算部１２１とＣＦ計算部１２２は、いずれも機能的に特定されるものであって、ＨＤＤ等の補助記憶装置に格納されたプログラムがメインメモリに読み出され、ＣＰＵで演算処理を実行することによって、各部に対応する機能が実現される。データ格納部１３には、ＨＤＤ等の補助記憶装置の所定の記憶領域が割り当てられる。
【００３３】
入出力端末（管理者端末）２０には、キャッシュフロー管理装置１０がスタンドアローンで利用される場合は、キーボードやマウス等の入力装置と液晶ディスプレイやプリンタなどの出力装置が、キャッシュフロー管理装置１０がネットワークに接続して利用される場合は、ＰＣやタブレット型コンピュータなどのネットワーク端末が用いられる。
【００３４】
ＳＰＣの将来の損益とキャッシュフローを予測する計算を行う際には、管理者が入出力端末（管理者端末）２０を操作してＳＰＣ情報管理部１１を起動し、計算に必要なデータを入力する。ＳＰＣ情報管理部１１では、入力を受け付けたデータと、必要に応じてデータ格納部１３から読み出したデータ（例えば、投資額等のあらかじめ入力して保存されたデータ）から、ＰＬ計算部１１１においてＳＰＣの損益を、ＣＦ計算部１１２においてＳＰＣのキャッシュフローをそれぞれ計算して、計算結果を入出力端末（管理者端末）２０に出力する。入力を受け付けたデータや計算結果のうち保存が必要なデータは、ＳＰＣ情報管理部１１によってデータ格納部１３に書き込まれる。
【００３５】
ファンドの将来の損益とキャッシュフローを予測する計算を行う際には、管理者が入出力端末（管理者端末）２０を操作してファンド情報管理部１２を起動し、計算に必要なデータを入力する。ファンド情報管理部１２では、入力を受け付けたデータと、必要に応じてデータ格納部１３から読み出したデータ（例えば、各々のＳＰＣについて計算して保存された回収額等のデータ）から、ＰＬ計算部１２１においてファンドの損益を、ＣＦ計算部１２２においてファンドのキャッシュフローをそれぞれ計算して、計算結果を入出力端末（管理者端末）２０に出力する。入力を受け付けたデータや計算結果のうち保存が必要なデータは、ファンド情報管理部１２によってデータ格納部１３に書き込まれる。
【００３６】
キャッシュフロー管理装置１０は、ＣＦ計算部１１２において、ファンドによる資金回収のタイミングとの関係でＳＰＣにリザーブすべきキャッシュフローの調整を、ＣＦ計算部１２２において、投資家への分配のタイミングとの関係でファンドにリザーブすべきキャッシュフローの調整を、それぞれ実行する機能を備えていることを特徴としているが、これらのキャッシュフロー調整の方法について、図４−図９を用いて、以下に具体的に説明する。尚、図４−図９は、入出力端末（管理者端末）２０の操作画面を例示したものであるが、必要なデータの入力を受け付ける画面であるとともに、キャッシュフローの計算結果が出力された画面ともなるものである。
【００３７】
図４は、ファンドの投資対象となる複数のＳＰＣのうち、一のＳＰＣについて予測されるキャッシュフローの計算例を示している。ＳＰＣの決算は月次で集計され、各月の「配当」のセルには投資先からの配当収入を、「支出１」のセルには資金の流出が生じるが損益には計上されない支出（借入金の返済等）を、「支出２」のセルには資金の流出は生じないが損益に計上される支出（減価償却費等）を、「支出３」のセルには資金の流出が生じて損益にも計上される支出（借入金の支払利息等）を、それぞれ入力すると、各月の損益（ＰＬ）は「配当−（支出２＋支出３）」、キャッシュフロー（ＣＦ）は「配当−（支出１＋支出３）」から自動計算される。ＳＰＣに発生する余剰資金はファンドが回収するのが原則であるため、「配当−（支出１＋支出３）」から計算されるキャッシュフロー（ＣＦ）が回収に充てられ、原則をそのままモデル化すると、ＳＰＣのキャッシュフローは図４のように計算されることになる。
【００３８】
ここで、ＳＰＣの運営に資金不足が生じないようにするためには、ＳＰＣに一定の資金をリザーブしておくことが必要であり、図４の例に示したモデルに対して、図５の例に示したように、ＳＰＣにリザーブが必要な「必要リザーブ」の金額を入力するセルを設けることが好ましい。このように「必要リザーブ」の金額を設定すると、前月末のリザーブ残高に当月のキャッシュフローを加算した金額から、「必要リザーブ」の金額を減じた金額がファンドの回収に充てられることになる。
【００３９】
ところが、ここで問題が生じるのが、ファンドがＳＰＣから資金を回収するタイミングが、ＳＰＣの決算を集計するタイミングと異なる場合である。この例では、ＳＰＣの決算を月次で集計するのに対して、ファンドによるＳＰＣからの資金回収は四半期毎に行われるルールとなっているため、図５の例に示したモデルで計算すると、モデル上の月次の回収額と実際の回収額に差異が生じることになってしまい、ＳＰＣとファンドのそれぞれで実際に発生する余裕資金を把握することができず、余裕資金を効率的に運用することが困難になるという問題が生じてしまう。
【００４０】
そこで、本発明では、月次で集計するＳＰＣのキャッシュフローの計算において、ファンドによる資金回収が発生しない月には、ファンドの回収額がゼロとなるように、ＳＰＣにリザーブする「必要リザーブ」の金額を設定することによって、こうした問題を解決することとしている。ファンドによる資金回収が発生しない月のファンドの回収額をゼロにするための「必要リザーブ」の金額の設定方法は特に限定されるものではないが、例えば、図６の例に示したように、「必要リザーブ」の金額を入力するセルのデフォルト値に、セルに入力が可能な最大値（ここでは「９９９，９９９」）を設定しておくこととすればよい。
【００４１】
このようにデフォルト値を設定しておけば、図７の例に示したように計算に必要な配当や支出のセルに数値を入力するとともに、ファンドによる資金回収が発生する月の「必要リザーブ」のセルにリザーブが必要な金額を管理者が入力することとすれば、デフォルト値として設定されていたセルに入力可能な最大値が、入力を受け付けた金額に更新される。
【００４２】
ファンドによる資金回収が発生しない月は、キャッシュフローの計算結果がどのような値になっても、セルに入力可能な最大値である「必要リザーブ」のデフォルト値を超えることはないので、「回収」のセルの数値は必ず「０」になって、ファンドによる資金回収は発生しない計算となる。ここで計算されたキャッシュフローの値は、余裕資金としてリザーブ残高に積み増され、ファンドによる資金回収が発生する月にまとめて回収される計算となる。
【００４３】
このように、「必要リザーブ」の金額を入力するセルのデフォルト値には、「回収」の金額が「０」となるように、「配当−（支出１＋支出３）」から計算されるキャッシュフロー以上の金額が設定されていればよいので、図６及び図７を用いて説明した、セルに入力が可能な最大値を設定しておく方法の他に、例えば、キャッシュフロー（ＣＦ）が自動計算されるセルと同じ値が自動的に設定されることとしてもよい。
【００４４】
以上に説明した、ＳＰＣについてＣＦ計算部１１２で実行されるファンドによる資金回収のタイミングとの関係でＳＰＣにリザーブすべきキャッシュフローの調整を、投資家への分配のタイミングとの関係でファンドにリザーブすべきキャッシュフローを対象に、ＣＦ計算部１２２において実行することもできる。
【００４５】
図８及び図９はその一例を示したものであるが、ファンドによるＳＰＣからの資金回収が四半期毎に行われるため、ファンドの決算の集計を四半期毎に行うこととすると、投資家への分配のタイミングとの関係でファンドにリザーブすべきキャッシュフローの調整を行わなければ、図８に例示したように、半期毎に実施すべきファンドから投資家への分配が、四半期毎に発生してしまう計算になる。これを、投資家への分配が半期毎に発生するようキャッシュフローを調整するためには、図９に例示したように、「必要リザーブ」の金額を入力するセルのデフォルト値としてセルに入力が可能な最大値（ここでは「９９９，９９９」）を設定しておき、投資家への分配が発生する四半期の「必要リザーブ」のセルにリザーブが必要な金額を管理者が入力することとすればよい。
【００４６】
図１０及び図１１は、ＳＰＣの損益及びキャッシュフローのシミュレーションを行う際に、入出力端末（管理者端末）２０に表示される操作画面の一例を示したものである。これらは同じ操作画面について、回収情報をスクロールして異なる部分が表示された状態であり、回収情報の白色のセルが数値を入力するセルに該当するが、図１０の「元本返済」が資金の流出が生じるが損益には計上されない支出（図４等の「支出１」）に、図１１の「減価償却」が資金の流出は生じないが損益に計上される支出（図４等の「支出２」）に、図１１の「ローン利息返済」と「Ｏｔｈｅｒ  Ｃｏｓｔ」が資金の流出が生じて損益にも計上される支出（図４等の「支出３」）に該当する。図１１の「必要リザーブ額」には、セルに入力可能な最大値である「９９９，９９９，９９９，９９９」がデフォルト値として設定され、実際にリザーブが必要な金額を上書きすることが可能となっている。
【００４７】
図１２のフローチャートは、本発明に係るファンドのキャッシュフロー管理装置であるキャッシュフロー管理装置１０によって、ファンド全体のキャッシュフローのシミュレーション結果を出力する処理フローを示している。入出力端末（管理者端末）２０から、シミュレーション結果を出力する処理要求を受け付けると、ＳＰＣ情報管理部１１が起動されて、データ格納部１３に格納されたファンドに関する情報等を参照して、ファンドの投資対象となっているＳＰＣを特定する（Ｓ１）。
【００４８】
特定されたＳＰＣから一のＳＰＣを選択して、キャッシュフローの計算に必要なデータをデータ格納部１３から読み出す（Ｓ２）。尚、こうしたシミュレーションを自動計算するためには、ＳＰＣのキャッシュフローの計算に必要なデータをあらかじめ入力して、データ格納部１３に保存しておくことが必要である。ＣＦ計算部１１２では、読み出したデータを用いてＳＰＣのキャッシュフローを計算する（Ｓ３）。
【００４９】
Ｓ１において特定された全てのＳＰＣについてのキャッシュフローの計算が終了すると（Ｓ２−Ｓ４）、ＣＦ計算部１２２では、各々のＳＰＣのキャッシュフローから発生するファンドによる回収額を合算するとともに（Ｓ５）、ファンドのキャッシュフローの計算に必要なデータをデータ格納部１３から読み出すか、あるいは入出力端末（管理者端末）２０からの入力を受け付けて（Ｓ６）、ファンド全体のキャッシュフローを計算し、計算結果を入出力端末（管理者端末）２０に出力する（Ｓ７）。
【００５０】
キャッシュフローの計算結果の入出力端末（管理者端末）２０への出力方法は特に限定されるものではなく、入出力端末（管理者端末）２０のディスプレイに表示するものであってもよいし、プリンタを用いて紙媒体に印刷するものであってもよい。計算結果の表示方法も特に限定されるものではなく、図９に例示したような表形式で表示するものであってもよいし、ここから各期の分配金等の必要な項目のみを選択して表示するものであってもよい。
【符号の説明】
【００５１】
１０    キャッシュフロー管理装置
１１    ＳＰＣ情報管理部
１１１  ＰＬ計算部
１１２  ＣＦ計算部
１２    ファンド情報管理部
１２１  ＰＬ計算部
１２２  ＣＦ計算部
１３    データ格納部
２０    入出力端末（管理者端末）
【図１】
2017091238.tif 000003
【図２】
2017091238.tif 000004
【図３】
2017091238.tif 000005
【図４】
2017091238.tif 000006
【図５】
2017091238.tif 000007
【図６】
2017091238.tif 000008
【図７】
2017091238.tif 000009
【図８】
2017091238.tif 000010
【図９】
2017091238.tif 000011
【図１０】
2017091238.tif 000012
【図１１】
2017091238.tif 000013
【図１２】
2017091238.tif 000014
【手続補正書】
【提出日】平成28年12月5日(2016.12.5)
【手続補正１】
【補正対象書類名】特許請求の範囲
【補正対象項目名】請求項７
【補正方法】変更
【補正の内容】
【請求項７】
複数の投資対象に投資するファンドのキャッシュフローを管理するプログラムであって、ファンドのキャッシュフローを管理するコンピュータに、
ファンドの各々の投資対象について、投資対象におけるキャッシュフローを集計する基準となる第１の期間毎に、ファンドによる資金回収の回収額が反映された投資対象のキャッシュフローを計算する第１の計算ステップと、
ファンドの全ての投資対象について、前記第１の計算ステップにおいて計算された回収額を集計して、ファンド全体のキャッシュフローを集計する基準となる第２の期間毎のキャッシュフローを計算する第２の計算ステップと、
前記第１の計算ステップ又は前記第２の計算ステップの少なくともいずれかにおいて計算されたキャッシュフローを所定の形式で出力する出力ステップと、を実行させ、
前記第１の計算ステップでは、前記第１の期間毎に計算するキャッシュフローにおいて、ファンドによる資金回収が発生しない期間については、ファンドの回収額がゼロとなるように投資対象にリザーブする資金の額が設定されていること
を特徴とするキャッシュフロー管理プログラム。
【手続補正２】
【補正対象書類名】特許請求の範囲
【補正対象項目名】請求項８
【補正方法】変更
【補正の内容】
【請求項８】
複数の投資対象に投資するファンドのキャッシュフローの管理方法であって、
ファンドのキャッシュフローを管理するコンピュータが、ファンドの各々の投資対象について、投資対象におけるキャッシュフローを集計する基準となる第１の期間毎に、ファンドによる資金回収の回収額が反映された投資対象のキャッシュフローを計算する第１の計算ステップと、
前記コンピュータが、ファンドの全ての投資対象について、前記第１の計算ステップにおいて計算された回収額を集計して、ファンド全体のキャッシュフローを集計する基準となる第２の期間毎のキャッシュフローを計算する第２の計算ステップと、
前記コンピュータが、前記第１の計算ステップ又は前記第２の計算ステップの少なくともいずれかにおいて計算されたキャッシュフローを所定の形式で出力する出力ステップと、を有していて、
前記第１の計算ステップでは、前記第１の期間毎に計算するキャッシュフローにおいて、ファンドによる資金回収が発生しない期間については、ファンドの回収額がゼロとなるように投資対象にリザーブする資金の額が設定されていること
を特徴とするキャッシュフローの管理方法。
【手続補正３】
【補正対象書類名】明細書
【補正対象項目名】００１９
【補正方法】変更
【補正の内容】
【００１９】
本発明に係るキャッシュフロー管理プログラムは、複数の投資対象に投資するファンドのキャッシュフローを管理するプログラムであって、ファンドのキャッシュフローを管理するコンピュータに、ファンドの各々の投資対象について、投資対象におけるキャッシュフローを集計する基準となる第１の期間毎に、ファンドによる資金回収の回収額が反映された投資対象のキャッシュフローを計算する第１の計算ステップと、ファンドの全ての投資対象について、前記第１の計算ステップにおいて計算された回収額を集計して、ファンド全体のキャッシュフローを集計する基準となる第２の期間毎のキャッシュフローを計算する第２の計算ステップと、前記第１の計算ステップ又は前記第２の計算ステップの少なくともいずれかにおいて計算されたキャッシュフローを所定の形式で出力する出力ステップと、を実行させ、前記第１の計算ステップでは、前記第１の期間毎に計算するキャッシュフローにおいて、ファンドによる資金回収が発生しない期間については、ファンドの回収額がゼロとなるように投資対象にリザーブする資金の額が設定されていることを特徴とするキャッシュフロー管理プログラムである。
【手続補正４】
【補正対象書類名】明細書
【補正対象項目名】００２２
【補正方法】変更
【補正の内容】
【００２２】
本発明に係るキャッシュフローの管理方法は、複数の投資対象に投資するファンドのキャッシュフローの管理方法であって、ファンドのキャッシュフローを管理するコンピュータが、ファンドの各々の投資対象について、投資対象におけるキャッシュフローを集計する基準となる第１の期間毎に、ファンドによる資金回収の回収額が反映された投資対象のキャッシュフローを計算する第１の計算ステップと、前記コンピュータが、ファンドの全ての投資対象について、前記第１の計算ステップにおいて計算された回収額を集計して、ファンド全体のキャッシュフローを集計する基準となる第２の期間毎のキャッシュフローを計算する第２の計算ステップと、前記コンピュータが、前記第１の計算ステップ又は前記第２の計算ステップの少なくともいずれかにおいて計算されたキャッシュフローを所定の形式で出力する出力ステップと、を有していて、前記第１の計算ステップでは、前記第１の期間毎に計算するキャッシュフローにおいて、ファンドによる資金回収が発生しない期間については、ファンドの回収額がゼロとなるように投資対象にリザーブする資金の額が設定されていることを特徴とするキャッシュフローの管理方法である。